(57)【要約】【目的】大気中に含まれる有機汚染物質の採取および抽出を容易にする。【構成】大気中に含まれる有機汚染物質を採取するための採取器１は、大気を通過させるための通気路を有するケース２と、通気路内に配置された採取用フイルター４とを備えている。採取用フイルター４は、無機繊維群を含む通気性シートと、当該通気性シートに保持された、有機汚染物質を吸着可能な吸着材とを備えている。この採取器１は、ケース２の通気路に大気を通過させると、採取用フイルター４により、大気中に含まれる粒子状態およびガス状態の両形態の有機汚染物質を同時に採取することができる。採取用フイルター４により採取された有機汚染物質は、少量の溶媒により、容易に抽出することができる。【選択図】        図１
2005241534.tif 000002
【特許請求の範囲】
【請求項１】
大気中に含まれる有機汚染物質を採取するためのフイルターであって、
無機繊維群を含む通気性シートと、
前記通気性シートに保持された、前記有機汚染物質を吸着可能な吸着材と、
を備えた有機汚染物質の採取用フイルター。
【請求項２】
前記通気性シートの複数枚が積層されており、前記吸着材は積層された前記通気性シート間に配置されている、請求項１に記載の有機汚染物質の採取用フイルター。
【請求項３】
無機繊維群と有機物質とを含むシート状物を製造する工程と、
前記シート状物を加熱し、前記有機物質を炭化する工程と、
を含む有機汚染物質の採取用フイルターの製造方法。
【請求項４】
大気中に含まれる有機汚染物質を採取するための採取器であって、
前記大気が通過可能な通気路を有するケースと、
前記通気路内に配置された採取用フイルターとを備え、
前記採取用フイルターは、無機繊維群を含む通気性シートと、前記通気性シートに保持された、前記有機汚染物質を吸着可能な吸着材とを備えている、
有機汚染物質の採取器。
【請求項５】
前記通気路において、前記大気の通過方向における前記採取用フイルターの前段に配置された、前記大気中に含まれる塵埃を捕捉するための除塵フイルターをさらに備えている、請求項４に記載の有機汚染物質の採取器。
【請求項６】
前記ケースは、外筒と、前記外筒の内部に配置された内筒とを有する、一端面が閉鎖されかつ他端面が前記内筒の一端を除いて着脱可能な蓋体により閉鎖された筒状に形成されており、かつ、前記内筒の内部から前記外筒の外部に通じる前記通気路を有しており、前記採取用フイルターは、前記外筒と前記内筒との間に配置されている、請求項４または５に記載の有機汚染物質の採取器。
【請求項７】
前記採取用フイルターは、襞状に成形された状態で前記外筒と前記内筒との間に配置されている、請求項４から６のいずれかに記載の有機汚染物質の採取器。
【請求項８】
大気中に含まれる有機汚染物質を採取するための方法であって、
無機繊維群を含む通気性シートと、前記通気性シートに保持された、前記有機汚染物質を吸着可能な吸着材とを備えた採取用フイルターを、前記大気が通過可能な通気路に配置する第一工程と、
前記通気路において、前記採取用フイルターの片面側を減圧し、前記採取用フイルターの他面側から前記大気を通過させる第二工程と、
を含む有機汚染物質の採取方法。
【請求項９】
前記第一工程において、前記大気中に含まれる塵埃を捕捉するための除塵フイルターを前記採取用フイルターの前記他面側に配置する、請求項８に記載の有機汚染物質の採取方法。
【発明の詳細な説明】
【技術分野】
【０００１】
本発明は、採取用フイルターおよびその製造方法、採取器並びに採取方法、特に、大気中に含まれる有機汚染物質を採取するためのフイルターおよびその製造方法、大気中に含まれる有機汚染物質を採取するための採取器並びに大気中に含まれる有機汚染物質を採取するための方法に関する。
【背景技術】
【０００２】
残留性有機汚染物質（ＰＯＰｓ：Persistent Organic Pollutants）は、ポリ塩化ジベンゾ−パラ−ジオキシン（ＰＣＤＤｓ）およびポリ塩化ジベンゾフラン（ＰＣＤＦｓ）等のダイオキシン類、コプラナ型ポリ塩化ビフェニル（Ｃｏ−ＰＣＢｓ）等のポリ塩化ビフェニル類（ＰＣＢｓ）、ジクロロジフェニルトリクロロエタン（ＤＤＴ）、アルドリン、エンドリン、クロルデン、ヘプタクロル、マイレックス、トキサフェン並びにヘキサクロロベンゼン等の有機塩素化合物のような環境中で自然分解されにくく、所謂環境ホルモンとしての作用を示す可能性がある各種の有機物質の総称であり、産業廃棄物や一般家庭ごみなどの焼却施設から排出される排気ガスおよび工場排気等に含まれる場合があり、大気中に微量に拡散している。このため、残留性有機汚染物質は、人の健康の保護及び環境の保全を図ることを目的としたストックホルム条約（ＰＯＰｓ条約）において、国際的協調による廃絶、削減の対象になっている。
【０００３】
また、近年、防火対策上の観点から、家具や建築材料に用いられる合成繊維をはじめとする各種の樹脂製品は、難燃性のものが求められている。このため、それを構成する高分子材料は、デカブロモジフェニルエーテルやテトラブロモ無水フタル酸などの有機臭素化合物系難燃剤を含んでいる。この種の難燃剤は、気相において高分子材料の着火や燃焼を抑制することができるため、火災発生時に揮発し、大気中に拡散する可能性がある。大気中に拡散した当該難燃剤は、残留性有機汚染物質と同じく、動植物に健康被害をもたらす可能性がある。
【０００４】
したがって、残留性有機汚染物質や有機臭素化合物系難燃剤等の有機汚染物質による大気汚染を抑制する必要がある。そして、そのためには、大気を採取し、その中に含まれる有機汚染物質の含有量等を分析する作業が不可欠である。そこで、非特許文献１は、大気中に含まれる、残留性有機汚染物質の一種であるダイオキシン類の採取方法および分析方法をマニュアル化している。
【０００５】
【非特許文献１】環境省環境管理局  総務課ダイオキシン対策室  大気環境課  「ダイオキシン類に係る大気環境調査マニュアル」（平成１３年８月）
【０００６】
非特許文献１に記載されているダイオキシン類の採取方法は、石英繊維ろ紙とポリウレタンフォームとを直列に配置した試料採取装置を用いている。この試料採取装置は、ポリウレタンフォーム側を吸引ポンプにより減圧すると、石英繊維ろ紙側から大気を吸引することができる。吸引された大気は、石英繊維ろ紙およびポリウレタンフォームをこの順に通過する。この際、大気中に浮遊している塵埃に付着したダイオキシン類、すなわち粒子状態のダイオキシン類は、塵埃と共に石英繊維ろ紙により捕捉されて採取される。一方、大気中にガス状態で含まれているダイオキシン類は、石英繊維ろ紙を通過するが、ポリウレタンフォームにより捕捉されて採取される。したがって、当該試料採取装置を用いて一定量の大気を吸引し、その後、石英繊維ろ紙およびポリウレタンフォームによりそれぞれ採取されたダイオキシン類を抽出して分析すると、吸引した一定量の大気中に含まれるダイオキシン類の濃度を測定することができる。
【０００７】
非特許文献１に記載の試料採取装置において用いられるポリウレタンフォームは、ダイオキシン類により汚染されていると分析結果の信頼性を損なうことになるため、試料採取装置に装填する前に、予め清浄化処理（ダイオキシン類フリー化処理）する必要がある。しかし、有機物であるポリウレタンフォームは、加熱による清浄化ができないため、通常はソックスレー抽出法や超音波抽出法等、大量の溶媒を用いた煩雑な方法により清浄化する必要がある。また、ポリウレンタンフォームは、嵩高いため、試料採取装置の小型化を図る上での障害となり、また、そこで採取されたダイオキシン類を抽出するためには、大量の溶媒を用いた煩雑な操作が必要になる。
【０００８】
本発明の目的は、大気中に含まれる有機汚染物質の採取および抽出を容易にすることにある。
【発明の開示】
【課題を解決するための手段】
【０００９】
本発明に係る有機汚染物質の採取用フイルターは、大気中に含まれる有機汚染物質を採取するためのものであり、無機繊維群を含む通気性シートと、通気性シートに保持された、有機汚染物質を吸着可能な吸着材とを備えている。この採取用フイルターは、例えば、通気性シートの複数枚が積層されており、吸着材が積層された通気性シート間に配置されている。
【００１０】
この採取用フイルターは、無機繊維群を含む通気性シートにより、大気中に含まれる粒子状態の有機汚染物質を捕捉することができ、また、通気性シートに保持された吸着材により、大気中に含まれるガス状態の有機汚染物質を吸着して捕捉することができる。すなわち、この採取用フイルターは、大気中に含まれる粒子状態およびガス状態の両形態の有機汚染物質を同時に採取することができる。そして、この採取用フイルターは、従来のポリウレタンフォームよりも嵩を抑制しやすいため、採取した有機汚染物質を少量の溶媒で容易に抽出することができる。
【００１１】
本発明に係る有機汚染物質の採取用フイルターの製造方法は、無機繊維群と有機物質とを含むシート状物を製造する工程と、シート状物を加熱し、有機物質を炭化する工程とを含んでいる。
【００１２】
この製造方法によれば、シート状物に含まれる有機物質の炭化により得られる吸着材が保持された採取用フイルターが得られる。この採取用フイルターは、従来のポリウレタンフォームの場合のような、有機化合物を除去するための使用前における清浄化処理を必要とせず、大気中に含まれる有機汚染物質の採取のためにそのまま用いることができる。また、この採取用フイルターは、シート状物に含まれる無機繊維群により、大気中に含まれる粒子状態の有機汚染物質を捕捉することができ、また、シート状物に保持された吸着材により、大気中に含まれるガス状態の有機汚染物質を吸着して捕捉することができる。すなわち、この採取用フイルターは、大気中に含まれる粒子状態およびガス状態の両形態の有機汚染物質を同時に採取することができる。そして、この採取用フイルターは、従来のポリウレタンフォームよりも嵩を抑制しやすいため、採取した有機汚染物質を少量の溶媒で容易に抽出することができる。
【００１３】
本発明に係る有機汚染物質の採取器は、大気中に含まれる有機汚染物質を採取するためのものであり、大気が通過可能な通気路を有するケースと、通気路内に配置された採取用フイルターとを備えている。ここで、採取用フイルターは、無機繊維群を含む通気性シートと、当該通気性シートに保持された、有機汚染物質を吸着可能な吸着材とを備えている。
【００１４】
この採取器は、ケースの通気路に大気を通過させると、無機繊維群からなるシート状物により、大気中に含まれる粒子状態の有機汚染物質を捕捉することができ、また、吸着材により、大気中に含まれるガス状態の有機汚染物質を吸着して捕捉することができる。すなわち、この採取器は、大気中に含まれる粒子状態およびガス状態の両形態の有機汚染物質を同時に採取することができる。ここで、この採取器に用いられる採取用フイルターは、従来のポリウレタンフォームよりも嵩を抑制しやすいため、採取器を小型に構成することができ、また、採取した有機汚染物質を少量の溶媒で容易に抽出することができる。
【００１５】
この採取器は、例えば、通気路において、大気の通過方向における採取用フイルターの前段に配置された、大気中に含まれる塵埃を捕捉するための除塵フイルターをさらに備えていてもよい。
【００１６】
この場合、大気中に含まれる粒子状態の有機汚染物質が除塵フイルターにより採取され、また、ガス状態の有機汚染物質が採取用フイルターの吸着材により採取される。すなわち、大気中に含まれる粒子状態の有機汚染物質およびガス状態の有機汚染物質は、それぞれ、除塵フイルターおよび採取用フイルターにより分別して採取され、各フイルターから個別に抽出され得る。したがって、この場合の採取器によれば、大気中に含まれる粒子状態の有機汚染物質およびガス状態の有機汚染物質を別々に分析することができる。
【００１７】
また、この採取器において、ケースは、例えば、外筒と、外筒の内部に配置された内筒とを有する、一端面が閉鎖されかつ他端面が内筒の一端を除いて着脱可能な蓋体により閉鎖された筒状に形成されており、かつ、内筒の内部から外筒の外部に通じる上記通気路を有しており、採取用フイルターが外筒と内筒との間に配置されている。
【００１８】
この場合、大気は、内筒の一端からケース内に流入し、内筒の内部から外筒の外部に通じる通気路を通じてケース外に排出される。この際、大気は、採取用フイルターを通過し、そこに含まれる有機汚染物質が採取される。
【００１９】
このような採取器において、採取用フイルターは、例えば、襞状に成形された状態で外筒と内筒との間に配置されていてもよい。この場合、採取用フイルターにおいて、大気の通過面積をより大きく確保することができるため、大気中の有機汚染物質をより効果的に採取することができる。
【００２０】
本発明に係る有機汚染物質の採取方法は、大気中に含まれる有機汚染物質を採取するための方法であり、無機繊維群を含む通気性シートと、通気性シートに保持された、有機汚染物質を吸着可能な吸着材とを備えた採取用フイルターを、大気が通過可能な通気路に配置する第一工程と、通気路において、採取用フイルターの片面側を減圧し、採取用フイルターの他面側から大気を通過させる第二工程とを含んでいる。
【００２１】
この採取方法では、大気が採取用フイルターを通過する際、通気性シートの無機繊維群により大気中に含まれる粒子状態の有機汚染物質を捕捉することができ、また、吸着材により、大気中に含まれるガス状態の有機汚染物質を吸着して捕捉することができる。すなわち、この採取方法では、採取用フイルターにより、大気中に含まれる粒子状態およびガス状態の両形態の有機汚染物質を同時に採取することができる。ここで用いられる採取用フイルターは、従来のポリウレタンフォームよりも嵩を抑制しやすい。このため、これらの採取方法は、採取した有機汚染物質を少量の溶媒で容易に抽出することができる。
【００２２】
この採取方法では、例えば、第一工程において、大気中に含まれる塵埃を捕捉するための除塵フイルターを採取用フイルターの上記他面側に配置することもできる。この場合、大気中に含まれる粒子状態の有機汚染物質が主に除塵フイルターにより採取され、また、ガス状態の有機汚染物質が採取用フイルターの吸着材により採取される。すなわち、大気中に含まれる粒子状態の有機汚染物質およびガス状態の有機汚染物質は、それぞれ、除塵フイルターおよび採取用フイルターにより分別して採取され、各フイルターから個別に抽出され得る。したがって、この場合の採取方法によれば、大気中に含まれる粒子状態の有機汚染物質およびガス状態の有機汚染物質を個別に分析することができる。
【発明の効果】
【００２３】
本発明に係る有機汚染物質の採取用フイルターは、上述のように構成されているため、大気中に含まれる有機汚染物質を容易に採取することができ、また、採取した有機汚染物質を容易に抽出することができる。
【００２４】
本発明に係る有機汚染物質の採取用フイルターの製造方法は、上述の工程を含むため、大気中に含まれる有機汚染物質を容易に採取することができ、また、採取した有機汚染物質を容易に抽出可能な採取用フイルターを製造することができる。
【００２５】
本発明に係る有機汚染物質の採取器は、上述のように構成されているため、大気中に含まれる有機汚染物質を容易に採取することができ、また、採取した有機汚染物質を容易に抽出することができる。
【００２６】
本発明に係る有機汚染物質の採取方法は、上述の工程を含むため、大気中に含まれる有機汚染物質を容易に採取することができ、また、採取した有機汚染物質を容易に抽出することができる。
【発明を実施するための最良の形態】
【００２７】
形態１
図１を参照して、本発明に係る有機汚染物質の採取器の一形態を説明する。図において、採取器１は、大気中に含まれるダイオキシン類をはじめとする残留性有機汚染物質（ＰＯＰｓ）および有機臭素化合物などの有機汚染物質を採取するためのものであり、ケース２、フイルター保持体３および採取用フイルター４（本発明に係る有機汚染物質の採取用フイルターの実施の一形態）を主に備えている。
【００２８】
ケース２は、フイルター保持体３を収容するための容器であって角筒状の部材であり、一端に大気の吸引口５を有している。また、ケース２の内周面において、長さ方向の中央部より吸引口５寄りの部位には、中心方向に水平に突出するフランジ６が形成されている。
【００２９】
フイルター保持体３は、採取用フイルター４をケース２内で保持するためのものであり、図１および図２に示すように、支持板７と、通気管８とを主に備えている。支持板７は、金属製、例えば、ステンレス製の部材であり、ケース２の内周形状に対応した矩形の板状に形成されている。また、支持板７は、周縁部７ａを除き、通気性を有する網状体７ｂが形成されている。一方、通気管８は、漏斗状に形成されており、拡大部８ａ側の端部が支持板７の周縁部７ａと一体的に形成されている。また、通気管８の縮小部８ｂは、円筒状に形成されており、その先端には、後述する吸引ポンプに延びる吸引管を接続するためのソケット９が装着されている。このソケット９は、円筒状の部材であり、先端部がケース２から突出している。
【００３０】
上述のフイルター保持体３は、支持板７の周縁部７ａがフランジ６上に配置されており、これによりケース２内において支持されている。この結果、ケース２内において、吸引口５、通気管８およびソケット９からなる一連の通気路が形成されている。
【００３１】
採取用フイルター４は、支持板７と実質的に同サイズに設定された、柔軟性を有する矩形のシート状物であり、支持板７上に配置されている。この採取用フイルター４は、無機繊維群を含む通気性シートと、当該通気性シートに保持された、上述の有機汚染物質を吸着可能な吸着材とを備えている。
【００３２】
ここで用いられる無機繊維群は、特に限定されるものではないが、アルミナ繊維、ガラス繊維およびシリカ繊維（石英繊維）のうちの一種若しくは二種以上からなる繊維群が好ましい。特に、無機繊維群としては、安価で入手が容易であり、しかも、抄紙等の方法により所望の形状に成形しやすいガラス繊維群を用いるのが好ましい。
【００３３】
上述のような無機繊維群を含む通気性シートは、通常、大気中に含まれる塵埃等の粒子、特に、粒径が０．３〜０．５μｍの微粒子を９０％以上捕捉可能な程度の通気性を有するものが好ましく、粒径が０．３μｍの微粒子を９９．９９％以上捕捉可能な程度の通気性を有するものがより好ましい。通気性シートの通気性がこれより高い場合は、大気中に含まれる粒子状態の有機汚染物質を採取用フイルター４により実質的に漏れなく採取するのが困難になる可能性がある。
【００３４】
また、有機汚染物質を吸着可能な吸着材は、例えば、活性炭およびスチレンージビニルベンゼン共重合体樹脂（例えば、米国のスペルコ社の商品名“アンバーライトＸＡＤ−２”）などの樹脂材料である。吸着材として活性炭を用いる場合、活性炭は、通常、上述の通気性シートにおいて、無機繊維群中に保持されているのが好ましい。一方、吸着材として樹脂材料を用いる場合、樹脂材料は、通常、コーティング等の方法により、無機繊維群の繊維表面に担持されているのが好ましい。
【００３５】
活性炭を吸着材として用いた採取用シート４は、例えば、次のようにして製造することができる。先ず、無機繊維群と有機物質とを含むシート状物を製造する。ここで用いられる有機物質は、加熱により炭化し得るものであれば特に限定されるものではなく、例えば、無機繊維群をシート状に成形するために繊維同士を接着するための有機質バインダーや繊維表面に膜を形成することができる有機質コーティング材料等である。具体的には、例えば、アクリル系樹脂やウレタン系樹脂である。特に、後述する抽出操作において有機溶媒中に溶出しにくいウレタン系樹脂を用いるのが好ましい。
【００３６】
有機物質として有機質バインダーを用いる場合、上述のシート状物は次のようにして製造することができる。まず、無機繊維群と有機質バインダーとの混合物を調製する。そして、得られた混合物を抄紙などの方法によりシート状に成形すると、通気性を有する上述のシート状物が得られる。一方、有機物質として有機質コーティング材料を用いる場合、上述のシート状物は次のようにして製造することができる。先ず、無機繊維群を含む通気性シートを用意する。この通気性シートは、公知の各種の方法により製造することができる。例えば、無機繊維群を水中に分散させて抄紙すると製造することができる。また、通気性シートとしては、市販のろ紙、特に、環境省環境管理局  総務課ダイオキシン対策室  大気環境課編「ダイオキシン類に係る大気環境調査マニュアル」（上述の非特許文献１）において使用が指定された石英繊維ろ紙がそのまま用いられてもよい。次に、有機質コーティング材料の溶液を調製し、この溶液を通気性シートに塗布するか、或いは、この溶液中に通気性シートを浸漬し、シート状物を乾燥する。なお、これらのシート状物の製造において用いる有機物質の量は、採取用シート４において、上述の通気性を達成可能なように設定するのが好ましい。
【００３７】
次に、得られたシート状物を加熱し、有機物質を炭化する。これにより、有機物質が活性炭になる。また、シート状物が無機繊維群と有機質バインダーとの混合物を用いて製造されている場合は、無機繊維群の繊維同士が熱固定される。この結果、無機繊維群中に有機物質に由来の活性炭が保持された採取用フイルター４が得られる。ここで、シート状物の加熱条件は、有機物質を炭化させることができる条件であれば特に限定されるものではないが、通常、２２０〜４５０℃で１〜１０分に設定するのが好ましい。加熱温度が２２０℃未満の場合や加熱時間が１分未満の場合は、有機物質の炭化が促進されにくくなり、採取用フイルター４において、ガス状態の有機汚染物質が採取されにくくなる可能性がある。逆に、加熱温度が４５０℃を超える場合や１０分を超える場合は、有機物質の炭化が進行し過ぎるため、同様の不具合が生じ、また、後述する抽出操作において、活性炭により採取されたガス状態の有機汚染物質が抽出されにくくなる可能性がある。
【００３８】
一方、樹脂材料を吸着材として用いた採取用シート４は、次のようにして製造することができる。先ず、無機繊維群を含む通気性シートを用意する。ここで用意する通気性シートは、上述のものと同様のものである。次に、樹脂材料の溶液を調製し、この溶液を通気性シートに塗布して乾燥する。これにより、無機繊維群の繊維表面に樹脂材料が担持された採取用フイルター４が得られる。
【００３９】
因みに、採取用フイルター４は、上述のようなシート状物であるため、従来のポリウレタンフォームに比べて嵩を抑制しやすい。すなわち、採取用フイルター４は、ウレタンフォームに比べて小型化しやすいため、採取器１の小型化を達成しやすい。
【００４０】
次に、上述の採取器１を用いた、大気中に含まれる有機汚染物質の採取方法を説明する。この採取方法では、先ず、採取用フイルター４を備えた上述の採取器１を組み立てる。ここでは、フイルター保持体３の支持板７上に採取用フイルター４を配置し、フイルター保持体３をケース２内に装着する。この結果、採取器１では、ケース２内に形成された上述の通気路において、採取用フイルター４が配置された状態になる（第一工程）。
【００４１】
ここで、採取用フイルター４は、大気中に含まれる有機汚染物質による汚染を防ぐため、気密性の高い袋等の容器内に封入しておき、本採取方法の実施時に当該容器を開封して使用するのが好ましい。この際、採取用フイルター４は、吸着材として活性炭を用いる場合、基本的に無機物からなるため、従来のポリウレタンフォームとは異なり、使用前に有機汚染物質を除去するための清浄化処理を施す必要がなく、そのまま即座に使用することができる。また、採取用フイルター４は、ポリウレタンフォームに比べて嵩が小さいため、採取器１に対して容易に装着することができる。
【００４２】
次に、採取器１のソケット９に対し、図１に一点鎖線で示すように、図示しない吸引ポンプから延びる吸引管１０の端部を接続する。吸引管１０は、大気の流量計を備えたものが好ましい。そして、採取用フイルター４が水平になるよう、採取器１を大気の採取場所に設置し、吸引ポンプを作動させる。これにより、採取器１では、採取用フイルター４の片面側、すなわちソケット９側が減圧され、図１に矢印で示すように、吸引口５から通気路内に大気が吸引される（第二工程）。
【００４３】
吸引口５から吸引された大気は、採取用フイルター４を通過し、吸引管１０および吸引ポンプを通じて排出される。この際、大気中に含まれる塵埃等の浮遊物に付着した有機汚染物質、すなわち、粒子状態の有機汚染物質は、採取用フイルター４の無機繊維群に捕捉されて採取される。また、大気中に含まれるガス状態の有機汚染物質は、採取用フイルター４の吸着材に吸着され、採取される。すなわち、吸引された大気中に含まれる粒子状態およびガス状態の両方の形態の有機汚染物質は、採取用フイルター４により、同時に、かつ、実質的に漏れなく採取される。
【００４４】
採取器１による大気の吸引操作は、通常、上述の「ダイオキシン類に係る大気環境調査マニュアル」において規定された条件に従って実施するのが好ましい。例えば、環境大気中に含まれる有機汚染物質の２４時間平均値を求める場合は、７００リットル／分程度の高流量で、大気を２４時間吸引する。また、環境大気中に含まれる有機汚染物質の週平均値を求める場合は、７００リットル／分程度の高流量で大気を２４時間吸引する操作を７回繰返して実施するか、１００リットル／分程度の中流量で７日間連続して大気を吸引する。
【００４５】
上述のようにして大気中から採取した有機汚染物質は、採取用フイルター４に対して抽出操作を実施すると、抽出することができる。そして、採取用フイルター４から抽出された有機汚染物質を高分解能ガスクロマトグラフ質量分析法により分析すると、吸引した大気中に含まれる有機汚染物質を定性的および定量的に評価することができる。
【００４６】
採取用フイルター４に対する抽出操作は、通常、有機溶媒を用いるソックスレー抽出法によるのが好ましい。ここで、採取用フイルター４は、上述のような柔軟性を有するシート状物からなり、しかも、従来のポリウレタンフォームに比べて嵩が小さいため、ソックスレー抽出器に装着しやすく、また、ポリウレタンフォームの場合に比べて少量の有機溶媒によりダイオキシン類の抽出操作を容易に実施することができる。
【００４７】
抽出操作において用いられる有機溶媒は、特に限定されるものではないが、通常、トルエンやヘキサンを用いるのが好ましい。
【００４８】
使用後の採取器１は、通常、ケース２およびフイルター保持体３を十分に洗浄し、また、採取用フイルター４を別の新しいものに交換すると、繰返し使用することができる。
【００４９】
形態２
上述の形態１に係る採取器１は、図３に示すように、除塵フイルター１１をさらに備えていてもよい。ここで用いられる除塵フイルター１１は、通気性を有し、かつ、大気中に含まれる塵埃を捕捉可能なものであり、通常、採取用フイルター４において用いられる通気性シートと同様のものが用いられる。この除塵フイルター１１は、採取器１において、採取用フイルター４上に積層されている。この結果、除塵フイルター１１は、採取器１のケース２内に形成された上述の通気路において、大気の通過方向における採取用フイルター４の前段に配置されることになる。
【００５０】
この形態に係る採取器１は、形態１の場合と同様にして大気を吸引すると、吸引された大気は、除塵フイルター１１および採取用フイルター４を通過し、吸引管１０および吸引ポンプを通じて排出される。この際、大気中に含まれる塵埃等の浮遊物に付着した有機汚染物質、すなわち、粒子状態の有機汚染物質は、塵埃等の浮遊物と共に、除塵フイルター１１に捕捉されて採取される。また、大気中に含まれるガス状態の有機汚染物質は、採取用フイルター４の吸着材に吸着され、採取される。すなわち、吸引された大気中に含まれる粒子状態の有機汚染物質およびガス状態の有機汚染物質は、それぞれ、除塵フイルター１１および採取用フイルター４により分別して採取される。
【００５１】
上述のようにして大気中から採取した有機汚染物質は、除塵フイルター１１および採取用フイルター４に対して個別に抽出操作を実施すると、粒子状態およびガス状態の有機汚染物質毎に別々に抽出することができる。すなわち、除塵フイルター１１により採取された粒子状態の有機汚染物質と、採取用フイルター４により採取されたガス状態の有機汚染物質との、別々の抽出試料を得ることができる。したがって、これらの抽出試料を形態１の場合と同様にして別々に分析すれば、大気中に含まれる粒子状態の有機汚染物質およびガス状態の有機汚染物質の分析結果を別々に得ることができる。
【００５２】
形態３
図４および図５を参照して、本発明に係る他の採取器を説明する。図において、採取器２０は、ケース２１と、採取用フイルター２２とを主に備えている。ケース２１は、外筒３０と、外筒３０の内部において、外筒３０と同軸に配置された内筒３１とを有する筒状体であり、この筒状体の一端面である底面部全体が底板３２により閉鎖されており、また、この筒状体の他端面である上面部が内筒３１の一端を除いて蓋体３３により閉鎖されている。
【００５３】
このケース２１において、外筒３０の全体には、多数の通気孔３０ａが形成されている。また、内筒３１の全体にも、多数の通気孔３０ｂが形成されている。これらの通気孔３０ａ、３０ｂにより、内筒３１と外筒３０との間の空間には、内筒３１の内部から外筒３０の外部へ通じる通気路３４が形成されている。また、蓋体３３は、内筒３１の一端に対応する中心部が貫通した環状の部材であり、Ｏリング３５を挟んで、ケース２１の上面部を気密にかつ着脱可能に閉鎖している。
【００５４】
採取用フイルター２２は、上述の形態１において用いられるものと同様のものであり、外筒３０と内筒３１との間、すなわち、通気路３４内に筒状に巻かれて配置されている。
【００５５】
次に、この採取器２０を用いた、大気中に含まれる有機汚染物質の採取方法を説明する。この採取方法では、先ず、上述の採取器２０を組み立てる。ここでは、外筒３０と内筒３１との間、すなわち、通気路３４内に採取用フイルター２２を筒状に巻いて収容し、ケース２１を蓋体３３により閉鎖する。この結果、採取器２０では、ケース２１内に形成された上述の通気路３４において、採取用フイルター２２が配置された状態になる（第一工程）。
【００５６】
次に、図６に示すように、採取器２０を集気器４０に装着する。ここで用いる集気器４０は、集気部４１と、収容部４２とを備えている。集気部４１は、漏斗状の部材であり、採取器２０の内筒３１内に装入可能な首部４３を有している。一方、収容部４２は、採取器２０を収容するためのものであり、採取器２０よりも径が大きな筒状部材である。収容部４２の上端部は、首部４３が貫通した状態で閉鎖しており、首部４３に固定されている。また、収容部４２の下端部は、開口している。集気器４０に採取器２０を装着する場合は、収容部４２内へ採取器２０を挿入し、収容部４２内に突出した首部４３を採取器２０の内筒３１内へ挿入する。
【００５７】
次に、収容部４２に対し、図６に一点鎖線で示すように、形態１の場合と同様に、図示しない吸引ポンプから延びる吸引管１０の端部を接続し、吸引ポンプを作動させる。これにより、収容部４２内が減圧され、その結果、採取器２０において、採取用フイルター２２の外筒３０側が減圧される。そして、図６に矢印で示すように、集気部４１から大気が吸引され、吸引された大気は、首部４３を通じて採取器２０の内筒３１内へ導入される。内筒３１内に導入された大気は、通気路３４を通じて収容部４２内へ流れ、吸引管１０および吸引ポンプを通じて排出される（第二工程）。
【００５８】
この際、大気は、通気路３４内に配置された採取用フイルター２２を通過する。そして、大気中に含まれる塵埃等の浮遊物に付着した有機汚染物質、すなわち、粒子状態の有機汚染物質は、通気路３４に配置された採取用フイルター２２の無機繊維群に捕捉されて採取される。また、大気中に含まれるガス状態の有機汚染物質は、採取用フイルター２２の吸着材に吸着され、採取される。すなわち、吸引された大気中に含まれる粒子状態およびガス状態の両方の形態の有機汚染物質は、採取用フイルター２２により、同時に、かつ、実質的に漏れなく採取される。
【００５９】
因みに、上述のような大気の吸引操作は、形態１の場合と同様の条件に従って実施するのが好ましい。
【００６０】
採取用フイルター２２により採取された有機汚染物質は、採取用フイルター２２に対して抽出操作を実施すると、抽出することができる。そして、採取用フイルター２２から抽出された有機汚染物質を高分解能ガスクロマトグラフ質量分析法により分析すると、吸引した大気中に含まれる有機汚染物質を定性的および定量的に評価することができる。採取用フイルター２２に対する抽出操作は、形態１の場合と同様に、有機溶媒を用いるソックスレー抽出法によるのが好ましい。
【００６１】
上述の採取方法は、通常、集気器４０を洗浄し、また、採取器２０を新たなものに交換すると、繰り返して実施することができる。また、使用後の採取器２０は、通常、ケース２１を十分に洗浄し、採取用フイルター２２を別の新しいものに交換すると、繰返し使用することができる。
【００６２】
形態４
上述の形態３に係る採取器２０は、図７（図５に相当する図）に示すように、除塵フイルター２３をさらに備えていてもよい。ここで用いられる除塵フイルター２３は、形態２において用いられる除塵フイルター１１と同様のものである。この除塵フイルター２３は、採取器２０において、採取用フイルター２２と共に、通気路３４内に配置されている。より具体的には、通気路３４内において、採取用フイルター２２の内筒３１側に筒状に巻かれて配置されている。この結果、除塵フイルター２３は、通気路３４において、大気の通過方向における採取用フイルター２２の前段に配置されることになる。
【００６３】
除塵フイルター２３を備えた採取器２０は、形態３の場合と同様にして使用することができる。この場合、集気器４０を用いて吸引された大気は、採取器２０において、除塵フイルター２３および採取用フイルター２２をこの順に通過し、吸引管１０および吸引ポンプを通じて排出される。この際、大気中に含まれる塵埃等の浮遊物に付着した有機汚染物質、すなわち、粒子状態の有機汚染物質は、塵埃等の浮遊物と共に、除塵フイルター２３に捕捉されて採取される。また、大気中に含まれるガス状態の有機汚染物質は、採取用フイルター２２の吸着材に吸着され、採取される。すなわち、吸引された大気中に含まれる粒子状態の有機汚染物質およびガス状態の有機汚染物質は、それぞれ、除塵フイルター２３および採取用フイルター２２により分別して採取される。
【００６４】
上述のようにして大気中から採取した有機汚染物質は、除塵フイルター２３および採取用フイルター２２に対して個別に抽出操作を実施すると、粒子状態およびガス状態の有機汚染物質毎に別々に抽出することができる。すなわち、除塵フイルター２３により採取された粒子状態の有機汚染物質と、採取用フイルター２２により採取されたガス状態の有機汚染物質との、別々の抽出試料を得ることができる。したがって、これらの抽出試料を形態１の場合と同様にして別々に分析すれば、大気中に含まれる粒子状態の有機汚染物質およびガス状態の有機汚染物質の分析結果を別々に得ることができる。
【００６５】
形態５
形態３の採取器２０において用いられる採取用フイルター２２は、図８（図５に相当する図）に示すように、襞状に成形された状態で外筒３０と内筒３１との間、すなわち通気路３４に配置されていてもよい。この場合、採取用フイルター２２は、大気の通気面積を大きく確保することができるため、大気中の有機汚染物質をさらに効果的に採取することができる。
【００６６】
ちなみに、形態４の採取器２０においても、採取用フイルター２２は、同様に襞状に成形された状態で通気路３４に配置されてもよい。この場合、除塵フイルター２３も、同様の襞状に成形した状態で通気路３４に配置するのが好ましい。
【００６７】
形態６
図９を参照して、本発明の他の実施の形態に係る有機汚染物質の採取用フイルターを説明する。図において、採取用フイルター５０は、２枚の通気性シート５１と、吸着材５２とを主に備えている。ここで、２枚の通気性シート５１は、吸着材５２を挟んで積層されている。
【００６８】
通気性シート５１は、無機繊維群を含むものであり、上述の形態１の採取用フイルター４において用いられる、吸着材が付与される前の通気性シートと同様のものである。一方、吸着材５２は、活性炭やグラファイトなどの炭素材料、若しくは、上述の形態１の採取用フイルター４において用いられるものと同様の樹脂系材料である。これらの吸着材は、数種類のものが併用されてもよい。
【００６９】
この採取用フイルター５０は、上述の各形態に係る採取器１、２０において、採取用フイルター４、２２に代えて用いられる。そして、この採取用フイルター５０は、吸引した大気が通過すると、通気性シート５１において大気中に含まれる粒子状態の有機汚染物質を捕捉して採取し、また、通気性シート５１間に配置された吸着材５２により大気中に含まれるガス状態の有機汚染物質を吸着して採取することができる。また、この採取用フイルター５０により採取された粒子状態およびガス状態の両方の形態の有機汚染物質は、上述の各形態の場合と同様の抽出操作により同時に抽出することができる。
【００７０】
なお、この形態に係る採取用フイルター５０は、３枚以上の通気性シート５１が積層され、各通気性シート５１間に吸着材５２が配置されていてもよい。
【実施例】
【００７１】
上述の形態２の採取器１を用意し、この採取器１を用いて環境大気中の有機汚染物質（主に、ＰＣＤＤｓ、ＰＣＤＦｓおよびＣｏ−ＰＣＢｓ）を採取した。ここでは、除塵フイルター１１として石英繊維ろ紙を用い、また、採取用フイルター４として、形態１において説明した製造方法により得られた、吸着材として活性炭を保持したものを用いた。また、採取器１において、通気管８の縮小部８ｂにポリウレタンフォームを充填し、除塵フイルター１１および採取用フイルター４を通過した大気がポリウレタンフォームを通過した後に吸引管１０および吸引ポンプを通じて排出されるよう設定した。ポリウレタンフォームは、上述の「ダイオキシン類に係る大気環境調査マニュアル」（上述の非特許文献１）において使用が指定されているものを用いた。環境大気の吸引は、１００リットル／分で７日間実施した。
【００７２】
環境大気の吸引後、除塵フイルター１１、採取用フイルター４およびポリウレタンフォームに採取された有機汚染物質をそれぞれトルエンを用いてソックスレー抽出した後に濃縮し、分析用試料を得た。抽出用に用いたトルエン量は、除塵フイルター１１、採取用フイルター４およびポリウレタンフォームについて、それぞれ０．３リットル、０．３リットルおよび２リットルであった。各分析用試料に含まれる有機汚染物質を高分解能ガスクロマトグラフ質量分析法により別々に分析した結果を表１に示す。表１において、有機汚染物質は、ＩＵＰＡＣの基準に従って表示している。また、“ＮＤ”は検出下限未満を示し、括弧付の数値は検出下限以上、定量下限未満を示している。さらに、捕集率は、（除塵フイルターによる採取量＋採取用フイルターによる採取量）／（除塵フイルターによる採取量＋採取用フイルターによる採取量＋ポリウレタンフォームによる採取量）×１００の計算により求めたものである。
【００７３】
【表１】
2005241534.tif 000003
【００７４】
表１によると、ポリウレタンフォームから得られた分析用試料中には、実質的に有機汚染物質が含まれていないことがわかる。これによれば、環境大気中の有機汚染物質は、実質的に、除塵フイルター１１および採取用フイルター４により全量が採取されていることになる。
【図面の簡単な説明】
【００７５】
【図１】本発明の形態１に係る有機汚染物質の採取器の縦断面図。
【図２】前記採取器において採用されたフイルター保持体の斜視図。
【図３】本発明の形態２に係る有機汚染物質の採取器の縦断面図。
【図４】本発明の形態３に係る有機汚染物質の採取器の縦断面図。
【図５】図４のＶ−Ｖ断面図。
【図６】形態３に係る有機汚染物質の採取器の使用状態を示す縦断面図。
【図７】本発明の形態４に係る有機汚染物質の採取器の図５に相当する図。
【図８】本発明の形態５に係る有機汚染物質の採取器の図５に相当する図。
【図９】本発明の各形態に係る有機汚染物質の採取器において利用可能な他の採取用フイルターの縦断面図。
【符号の説明】
【００７６】
１、２０  採取器
２、２１    ケース
４、２２、５０  採取用フイルター
１１、２３  除塵フイルター
３０  外筒
３１  内筒
３３  蓋体
３４  通気路
５１  通気性シート
５２  吸着材
【図１】
2005241534.tif 000004
【図２】
2005241534.tif 000005
【図３】
2005241534.tif 000006
【図４】
2005241534.tif 000007
【図５】
2005241534.tif 000008
【図６】
2005241534.tif 000009
【図７】
2005241534.tif 000010
【図８】
2005241534.tif 000011
【図９】
2005241534.tif 000012